(57)【特許請求の範囲】
【請求項１】
複数の糸状溶融樹脂が絡み合うとともに部分的に熱溶着された編成樹脂網状構造体からなる敷き寝具であって、
使用時に人体の腰臀部が位置する腰臀部位と、
前記腰臀部位よりも前記人体の背部側に位置する背部位と、
前記腰臀部位よりも前記人体の脚部側に位置する脚部位と
を少なくとも有し、
前記腰臀部位は、使用時に上面となる腰臀部位第１層と、前記腰臀部位第１層よりも下面となる腰臀部位第２層とを有し、
前記背部位は、使用時に上面となる背部位第１層と、前記背部位第１層よりも下面となる背部位第２層とを有し、
前記脚部位は、使用時に上面となる脚部位第１層と、前記脚部位第１層よりも下面となる脚部位第２層とを有し、
前記背部位第１層の嵩密度を、前記腰臀部位第１層の嵩密度よりも小さくし、
前記脚部位第１層の嵩密度を、前記腰臀部位第１層の前記嵩密度よりも小さくし、
前記腰臀部位第２層の嵩密度を、前記腰臀部位第１層の前記嵩密度よりも大きくし、
前記背部位第２層の嵩密度を、前記背部位第１層の前記嵩密度よりも大きくし、
前記脚部位第２層の嵩密度を、前記脚部位第１層の前記嵩密度よりも大きくし、
前記腰臀部位第１層の前記嵩密度を、前記背部位第２層の前記嵩密度、及び前記脚部位第２層の嵩前記密度よりも大きくした
ことを特徴とする敷き寝具。
【請求項２】
前記腰臀部位第２層に対する前記腰臀部位第１層の腰臀部位嵩密度比と、
前記背部位第２層に対する前記背部位第１層の背部位嵩密度比と、
前記脚部位第２層に対する前記脚部位第１層の脚部位嵩密度比と
を同じとしたことを特徴とする請求項１に記載の敷き寝具。
【請求項３】
前記腰臀部位、前記背部位、及び前記脚部位を、４０ｍｍ以上８０ｍｍ以下で同じ厚さとし、
前記腰臀部位第１層、前記背部位第１層、及び前記脚部位第１層を、１５ｍｍ以上で同じ厚さとするとともに、前記腰臀部位、前記背部位、及び前記脚部位に対して３７．５％以下の厚さとし、
前記腰臀部位が、直径１５０ｍｍの加圧板で前記腰臀部位第１層から１０ｍｍ下降させた時の荷重が１００Ｎ以上１８０Ｎ以下であり、
前記背部位が、前記加圧板で前記背部位第１層から１０ｍｍ下降させた時の荷重が６０Ｎ以上１４０Ｎ以下であり、
前記脚部位が、前記加圧板で前記脚部位第１層から１０ｍｍ下降させた時の荷重が６０Ｎ以上１４０Ｎ以下であり、
前記加圧板で１０ｍｍ下降させた時の前記腰臀部位の前記荷重よりも、前記加圧板で１０ｍｍ下降させた時の前記背部位の前記荷重を小さく、
前記加圧板で１０ｍｍ下降させた時の前記腰臀部位の前記荷重よりも、前記加圧板で１０ｍｍ下降させた時の前記脚部位の前記荷重を小さく
したことを特徴とする請求項１又は請求項２に記載の敷き寝具。
【請求項４】
前記腰臀部位第１層、前記背部位第１層、及び前記脚部位第１層を、ポリエチレン樹脂による糸状ポリエチレン溶融樹脂で形成し、
前記腰臀部位第２層、前記背部位第２層、及び前記脚部位第２層を、ポリプロピレン樹脂による糸状ポリプロピレン溶融樹脂で形成し、
前記糸状ポリエチレン溶融樹脂を、前記糸状ポリプロピレン溶融樹脂よりも細くした
ことを特徴とする請求項１又は請求項２に記載の敷き寝具。
【請求項５】
前記腰臀部位、前記背部位、及び前記脚部位を、１５０ｍｍ以上３００ｍｍ以下で同じ厚さとし、
前記腰臀部位第１層、前記背部位第１層、及び前記脚部位第１層を、１５ｍｍ以上４５ｍｍ以下で同じ厚さとし、
前記腰臀部位が、直径１５０ｍｍの加圧板で前記腰臀部位第１層から１０ｍｍ下降させた時の荷重が６０Ｎ以上１２０Ｎ以下であり、
前記背部位が、前記加圧板で前記背部位第１層から１０ｍｍ下降させた時の荷重が４０Ｎ以上１００Ｎ以下であり、
前記脚部位が、前記加圧板で前記脚部位第１層から１０ｍｍ下降させた時の荷重が４０Ｎ以上１００Ｎ以下であり、
前記加圧板で１０ｍｍ下降させた時の前記腰臀部位の前記荷重よりも、前記加圧板で１０ｍｍ下降させた時の前記背部位の前記荷重を小さく、
前記加圧板で１０ｍｍ下降させた時の前記腰臀部位の前記荷重よりも、前記加圧板で１０ｍｍ下降させた時の前記脚部位の前記荷重を小さく
したことを特徴とする請求項４に記載の敷き寝具。
【請求項６】
前記腰臀部位第１層、前記背部位第１層、及び前記脚部位第１層の内の少なくとも一つを、前記腰臀部位第２層、前記背部位第２層、及び前記脚部位第２層の内の少なくとも一つと異なる色とした
ことを特徴とする請求項１から請求項５のいずれかに記載の敷き寝具。
【発明の詳細な説明】
【技術分野】
【０００１】
本発明は、敷き布団やベッド用マットとして利用できる敷き寝具に関する。
【背景技術】
【０００２】
網目状構造体である編成樹脂を、寝具用マットやクッションとして用いることが例えば特許文献１や特許文献２で提案されている。
【先行技術文献】
【特許文献】
【０００３】
【特許文献１】特開２０１０−１５４９６５号公報
【特許文献２】特開２００６−９７２２３号公報
【発明の開示】
【発明が解決しようとする課題】
【０００４】
ところで、人が仰臥位で横になった時の荷重の割合は、頭部、背部、腰臀部、及び脚部で分けると、腰臀部が４５％近くあり、背部は腰臀部に対して７５％、脚部に至っては腰臀部に対して３４％程度である。
従って、体圧分布と寝姿勢保持性のバランスをとりやすい敷き寝具を提供するためには、人体の腰臀部が位置する腰臀部位と、人体の背部側に位置する背部位と、人体の脚部側に位置する脚部位とでの最適な反発力と質感とを調整する必要がある。
しかし、特許文献１及び特許文献２では、人体の腰臀部が位置する腰臀部位と、人体の背部側に位置する背部位と、人体の脚部側に位置する脚部位とにおける最適な反発力と質感とを考慮していない。
【０００５】
そこで本発明は、人体の腰臀部が位置する腰臀部位と、人体の背部側に位置する背部位と、人体の脚部側に位置する脚部位とにおける最適な反発力と質感とを達成することで、体圧分布と寝姿勢保持性のバランスをとりやすい敷き寝具を提供することを目的とする。
また本発明は、体圧分散性が高く質感を持たせることができるとともに、長期使用によるへたりを防止することができ、畳や床に敷いて用いる敷き布団として特に適している敷き寝具を提供することを目的とする。
また本発明は、高い反発力を得ることができるとともに糸状ポリエチレン溶融樹脂で形成した場合と比較して格段に軽量化を図ることができ、ベッド用マットとして特に適している敷き寝具を提供することを目的とする。
【課題を解決するための手段】
【０００６】
請求項１記載の本発明の敷き寝具は、複数の糸状溶融樹脂が絡み合うとともに部分的に熱溶着された編成樹脂網状構造体からなる敷き寝具であって、使用時に人体の腰臀部が位置する腰臀部位と、前記腰臀部位よりも前記人体の背部側に位置する背部位と、前記腰臀部位よりも前記人体の脚部側に位置する脚部位とを少なくとも有し、前記腰臀部位は、使用時に上面となる腰臀部位第１層と、前記腰臀部位第１層よりも下面となる腰臀部位第２層とを有し、前記背部位は、使用時に上面となる背部位第１層と、前記背部位第１層よりも下面となる背部位第２層とを有し、前記脚部位は、使用時に上面となる脚部位第１層と、前記脚部位第１層よりも下面となる脚部位第２層とを有し、前記背部位第１層の嵩密度を、前記腰臀部位第１層の嵩密度よりも小さくし、前記脚部位第１層の嵩密度を、前記腰臀部位第１層の前記嵩密度よりも小さくし、前記腰臀部位第２層の嵩密度を、前記腰臀部位第１層の前記嵩密度よりも大きくし、前記背部位第２層の嵩密度を、前記背部位第１層の前記嵩密度よりも大きくし、前記脚部位第２層の嵩密度を、前記脚部位第１層の前記嵩密度よりも大きくし、前記腰臀部位第１層の前記嵩密度を、前記背部位第２層の前記嵩密度、及び前記脚部位第２層の嵩前記密度よりも大きくしたことを特徴とする。
請求項２記載の本発明は、請求項１に記載の敷き寝具において、前記腰臀部位第２層に対する前記腰臀部位第１層の腰臀部位嵩密度比と、前記背部位第２層に対する前記背部位第１層の背部位嵩密度比と、前記脚部位第２層に対する前記脚部位第１層の脚部位嵩密度比とを同じとしたことを特徴とする。
請求項３記載の本発明は、請求項１又は請求項２に記載の敷き寝具において、前記腰臀部位、前記背部位、及び前記脚部位を、４０ｍｍ以上８０ｍｍ以下で同じ厚さとし、前記腰臀部位第１層、前記背部位第１層、及び前記脚部位第１層を、１５ｍｍ以上で同じ厚さとするとともに、前記腰臀部位、前記背部位、及び前記脚部位に対して３７．５％以下の厚さとし、前記腰臀部位が、直径１５０ｍｍの加圧板で前記腰臀部位第１層から１０ｍｍ下降させた時の荷重が１００Ｎ以上１８０Ｎ以下であり、前記背部位が、前記加圧板で前記背部位第１層から１０ｍｍ下降させた時の荷重が６０Ｎ以上１４０Ｎ以下であり、前記脚部位が、前記加圧板で前記脚部位第１層から１０ｍｍ下降させた時の荷重が６０Ｎ以上１４０Ｎ以下であり、前記加圧板で１０ｍｍ下降させた時の前記腰臀部位の前記荷重よりも、前記加圧板で１０ｍｍ下降させた時の前記背部位の前記荷重を小さく、前記加圧板で１０ｍｍ下降させた時の前記腰臀部位の前記荷重よりも、前記加圧板で１０ｍｍ下降させた時の前記脚部位の前記荷重を小さくしたことを特徴とする。
請求項４記載の本発明は、請求項１又は請求項２に記載の敷き寝具において、前記腰臀部位第１層、前記背部位第１層、及び前記脚部位第１層を、ポリエチレン樹脂による糸状ポリエチレン溶融樹脂で形成し、前記腰臀部位第２層、前記背部位第２層、及び前記脚部位第２層を、ポリプロピレン樹脂による糸状ポリプロピレン溶融樹脂で形成し、前記糸状ポリエチレン溶融樹脂を、前記糸状ポリプロピレン溶融樹脂よりも細くしたことを特徴とする。
請求項５記載の本発明は、請求項４に記載の敷き寝具において、前記腰臀部位、前記背部位、及び前記脚部位を、１５０ｍｍ以上３００ｍｍ以下で同じ厚さとし、前記腰臀部位第１層、前記背部位第１層、及び前記脚部位第１層を、１５ｍｍ以上４５ｍｍ以下で同じ厚さとし、前記腰臀部位が、直径１５０ｍｍの加圧板で前記腰臀部位第１層から１０ｍｍ下降させた時の荷重が６０Ｎ以上１２０Ｎ以下であり、前記背部位が、前記加圧板で前記背部位第１層から１０ｍｍ下降させた時の荷重が４０Ｎ以上１００Ｎ以下であり、前記脚部位が、前記加圧板で前記脚部位第１層から１０ｍｍ下降させた時の荷重が４０Ｎ以上１００Ｎ以下であり、前記加圧板で１０ｍｍ下降させた時の前記腰臀部位の前記荷重よりも、前記加圧板で１０ｍｍ下降させた時の前記背部位の前記荷重を小さく、前記加圧板で１０ｍｍ下降させた時の前記腰臀部位の前記荷重よりも、前記加圧板で１０ｍｍ下降させた時の前記脚部位の前記荷重を小さくしたことを特徴とする。
請求項６記載の本発明は、請求項１から請求項５のいずれかに記載の敷き寝具において、前記腰臀部位第１層、前記背部位第１層、及び前記脚部位第１層の内の少なくとも一つを、前記腰臀部位第２層、前記背部位第２層、及び前記脚部位第２層の内の少なくとも一つと異なる色としたことを特徴とする。
【発明の効果】
【０００７】
本発明の敷き寝具によれば、人体の腰臀部が位置する腰臀部位と、人体の背部側に位置する背部位と、人体の脚部側に位置する脚部位とを有することで、体圧分布と寝姿勢保持性のバランスをとりやすい。
また、本発明の敷き寝具によれば、腰臀部位は、腰臀部位第１層と腰臀部位第２層とを有し、背部位は、背部位第１層と背部位第２層とを有し、脚部位は、脚部位第１層と脚部位第２層とを有し、腰臀部位第２層の嵩密度は、腰臀部位第１層の嵩密度よりも大きく、背部位第２層の嵩密度は、背部位第１層の嵩密度よりも大きく、脚部位第２層の嵩密度は、脚部位第１層の嵩密度よりも大きいため、人体の腰臀部、背部、及び脚部、それぞれについて、腰臀部位第１層、背部位第１層、及び脚部位第１層で体圧分布を調整して質感を持たせることができるとともに、腰臀部位第２層、背部位第２層、及び脚部位第２層で底つきを防止することができる。
また、本発明の敷き寝具によれば、腰臀部位第１層の嵩密度は、背部位第１層の嵩密度及び脚部位第１層の嵩密度よりも大きく、腰臀部位第２層の嵩密度よりも小さくしているため、人体全体の体圧分布性がよい。
また、本発明の敷き寝具によれば、体圧分散性が高く質感を持たせることができるとともに、長期使用によるへたりを防止することができ、畳や床に敷いて用いる敷き布団として特に適している。
また、本発明の敷き寝具によれば、高い反発力を得ることができるとともに糸状ポリエチレン溶融樹脂で形成した場合と比較して格段に軽量化を図ることができ、ベッド用マットとして特に適している。
【図面の簡単な説明】
【０００８】
【図１】本発明の一実施例による敷き寝具の構成図
【図２】本発明の他の実施例による敷き寝具の構成図
【図３】本実施例による敷き寝具の製造工程を示すフローチャート
【図４】図４のステップ２における糸状工程で用いる樹脂プールを示す構成図
【図５】実施例１の腰臀部位において、下降位置を横軸、荷重を縦軸とした荷重特性図
【図６】実施例１の腰臀部位において、前後差を横軸、２．５ｍｍ単位での荷重差を縦軸とした荷重特性図
【図７】実施例２の腰臀部位において、下降位置を横軸、荷重を縦軸とした荷重特性図
【図８】実施例２の腰臀部位において、前後差を横軸、２．５ｍｍ単位での荷重差を縦軸とした荷重特性図
【発明を実施するための形態】
【０００９】
本発明の第１の実施の形態による敷き寝具は、使用時に人体の腰臀部が位置する腰臀部位と、腰臀部位よりも人体の背部側に位置する背部位と、腰臀部位よりも人体の脚部側に位置する脚部位とを少なくとも有し、腰臀部位は、使用時に上面となる腰臀部位第１層と、腰臀部位第１層よりも下面となる腰臀部位第２層とを有し、背部位は、使用時に上面となる背部位第１層と、背部位第１層よりも下面となる背部位第２層とを有し、脚部位は、使用時に上面となる脚部位第１層と、脚部位第１層よりも下面となる脚部位第２層とを有し、背部位第１層の嵩密度を、腰臀部位第１層の嵩密度よりも小さくし、脚部位第１層の嵩密度を、腰臀部位第１層の嵩密度よりも小さくし、腰臀部位第２層の嵩密度を、腰臀部位第１層の嵩密度よりも大きくし、背部位第２層の嵩密度を、背部位第１層の嵩密度よりも大きくし、脚部位第２層の嵩密度を、脚部位第１層の嵩密度よりも大きくし、腰臀部位第１層の嵩密度を、背部位第２層の嵩密度、及び脚部位第２層の嵩密度よりも大きくしたものである。本実施の形態によれば、人体の腰臀部が位置する腰臀部位と、人体の背部側に位置する背部位と、人体の脚部側に位置する脚部位とを有することで、体圧分布と寝姿勢保持性のバランスをとりやすい。また、本実施の形態によれば、腰臀部位は、腰臀部位第１層と腰臀部位第２層とを有し、背部位は、背部位第１層と背部位第２層とを有し、脚部位は、脚部位第１層と脚部位第２層とを有し、腰臀部位第２層の嵩密度は、腰臀部位第１層の嵩密度よりも大きく、背部位第２層の嵩密度は、背部位第１層の嵩密度よりも大きく、脚部位第２層の嵩密度は、脚部位第１層の嵩密度よりも大きいため、人体の腰臀部、背部、及び脚部、それぞれについて、腰臀部位第１層、背部位第１層、及び脚部位第１層で体圧分布を調整して質感を持たせることができるとともに、腰臀部位第２層、背部位第２層、及び脚部位第２層で底つきを防止することができる。また、本実施の形態によれば、腰臀部位第１層の嵩密度は、背部位第１層の嵩密度及び脚部位第１層の嵩密度よりも大きく、腰臀部位第２層の嵩密度よりも小さくしているため、人体全体の体圧分布性がよい。
【００１０】
本発明の第２の実施の形態は、第１の実施の形態による敷き寝具において、腰臀部位第２層に対する腰臀部位第１層の腰臀部位嵩密度比と、背部位第２層に対する背部位第１層の背部位嵩密度比と、脚部位第２層に対する脚部位第１層の脚部位嵩密度比とを同じとしたものである。本実施の形態によれば、腰臀部位嵩密度比と、背部位嵩密度比と、脚部位嵩密度比とを同じとしているため、腰臀部位第１層と腰臀部位第２層との荷重に対する分担比率と、背部位第１層と背部位第２層との荷重に対する分担比率と、脚部位第１層と脚部位第２層との荷重に対する分担比率とを等しくできることで、寝姿勢保持性のバランスがよい。
【００１１】
本発明の第３の実施の形態は、第１又は第２の実施の形態による敷き寝具において、腰臀部位、背部位、及び脚部位を、４０ｍｍ以上８０ｍｍ以下で同じ厚さとし、腰臀部位第１層、背部位第１層、及び脚部位第１層を、１５ｍｍ以上で同じ厚さとするとともに、腰臀部位、背部位、及び脚部位に対して３７．５％以下の厚さとし、腰臀部位が、直径１５０ｍｍの加圧板で腰臀部位第１層から１０ｍｍ下降させた時の荷重が１００Ｎ以上１８０Ｎ以下であり、背部位が、加圧板で背部位第１層から１０ｍｍ下降させた時の荷重が６０Ｎ以上１４０Ｎ以下であり、脚部位が、加圧板で脚部位第１層から１０ｍｍ下降させた時の荷重が６０Ｎ以上１４０Ｎ以下であり、加圧板で１０ｍｍ下降させた時の腰臀部位の荷重よりも、加圧板で１０ｍｍ下降させた時の背部位の荷重を小さく、加圧板で１０ｍｍ下降させた時の腰臀部位の荷重よりも、加圧板で１０ｍｍ下降させた時の脚部位の荷重を小さくしたものである。本実施の形態によれば、畳や床に敷いて用いる敷き布団として特に適している。また、本実施の形態によれば、腰臀部位第１層、背部位第１層、及び脚部位第１層を、１５ｍｍ以上で、腰臀部位、背部位、及び脚部位に対して３７．５％以下の厚さとすることで、体圧分散性が高く質感を持たせることができるとともに、長期使用によるへたりを防止することができる。
【００１２】
本発明の第４の実施の形態は、第１又は第２の実施の形態による敷き寝具において、腰臀部位第１層、背部位第１層、及び脚部位第１層を、ポリエチレン樹脂による糸状ポリエチレン溶融樹脂で形成し、腰臀部位第２層、背部位第２層、及び脚部位第２層を、ポリプロピレン樹脂による糸状ポリプロピレン溶融樹脂で形成し、糸状ポリエチレン溶融樹脂を、糸状ポリプロピレン溶融樹脂よりも細くしたものである。本実施の形態によれば、糸状ポリエチレン溶融樹脂で形成した腰臀部位第１層、背部位第１層、及び脚部位第１層で体圧分布と寝姿勢保持性のバランスをとれ、腰臀部位第２層、背部位第２層、及び脚部位第２層を、糸状ポリプロピレン溶融樹脂で形成することで、高い反発力を得ることができるとともに糸状ポリエチレン溶融樹脂で形成した場合と比較して格段に軽量化を図ることができる。
【００１３】
本発明の第５の実施の形態は、第４の実施の形態による敷き寝具において、腰臀部位、背部位、及び脚部位を、１５０ｍｍ以上３００ｍｍ以下で同じ厚さとし、腰臀部位第１層、背部位第１層、及び脚部位第１層を、３０ｍｍ以上４５ｍｍ以下で同じ厚さとし、腰臀部位が、直径１５０ｍｍの加圧板で腰臀部位第１層から１０ｍｍ下降させた時の荷重が６０Ｎ以上１２０Ｎ以下であり、背部位が、加圧板で背部位第１層から１０ｍｍ下降させた時の荷重が４０Ｎ以上１００Ｎ以下であり、脚部位が、加圧板で脚部位第１層から１０ｍｍ下降させた時の荷重が４０Ｎ以上１００Ｎ以下であり、加圧板で１０ｍｍ下降させた時の腰臀部位の荷重よりも、加圧板で１０ｍｍ下降させた時の背部位の荷重を小さく、加圧板で１０ｍｍ下降させた時の腰臀部位の荷重よりも、加圧板で１０ｍｍ下降させた時の脚部位の荷重を小さくしたものである。本実施の形態によれば、ベッド用マットとして特に適している。また、本実施の形態によれば、腰臀部位第１層、背部位第１層、及び脚部位第１層を、３０ｍｍ以上４５ｍｍ以下の厚さとすることで、体圧分散性が高く質感を持たせることができる。
【００１４】
本発明の第６の実施の形態は、第１から第５のいずれかの実施の形態による敷き寝具において、腰臀部位第１層、背部位第１層、及び脚部位第１層の内の少なくとも一つを、腰臀部位第２層、背部位第２層、及び脚部位第２層の内の少なくとも一つと異なる色としたものである。本実施の形態によれば、使用時の上面を判別しやすい。
【実施例】
【００１５】
以下本発明の実施例について図面とともに詳細に説明する。
本発明の実施例による敷き寝具は、熱可塑性樹脂を所定温度で溶融混練した溶融樹脂を、糸状に流れ落として冷却することで形成される編成樹脂を用いたものである。
ここで熱可塑性樹脂としては、例えばポリエチレン、ポリプロピレン、ポリ塩化ビニル、ポリスチレン、ポリ酢酸ビニル、ポリテトラフルオロエチレン、アクリロニトリルブタジエンスチレン樹脂などを、単独で又は複数混合したものが用いられる。なお、原料とする熱可塑性樹脂は、使用済みで回収された包装容器や農業用ビニールを再利用できる。
溶融樹脂を糸状に流れ落として冷却することで、複数本の糸状溶融樹脂が無秩序に絡まり合い、部分的に熱溶着することで、網状の三次元構造体が形成される。
【００１６】
図１は、本発明の一実施例による敷き寝具であり、図１（ａ）は同実施例による敷き寝具の上面図、図１（ｂ）は同実施例による敷き寝具の側面図、図１（ｃ）は同実施例による敷き寝具の底面図、図１（ｄ）は図１（ｂ）のＸ部分に相当する製品の拡大写真である。
本実施例による敷き寝具は、使用時に人体の腰臀部１が位置する腰臀部位１０と、腰臀部位１０よりも人体の背部２側に位置する背部位２０と、腰臀部位１０よりも人体の脚部３側に位置する脚部位３０とからなる。
腰臀部位１０は、使用時に上面となる腰臀部位第１層１１と、腰臀部位第１層１１よりも下面となる腰臀部位第２層１２とからなる。
背部位２０は、使用時に上面となる背部位第１層２１と、背部位第１層２１よりも下面となる背部位第２層２２とからなる。
脚部位３０は、使用時に上面となる脚部位第１層３１と、脚部位第１層３１よりも下面となる脚部位第２層３２とからなる。
【００１７】
背部位第１層２１の嵩密度は、腰臀部位第１層１１の嵩密度よりも小さく、脚部位第１層３１の嵩密度は、腰臀部位第１層１１の嵩密度よりも小さい。背部位第１層２１の嵩密度は、脚部位第１層３１の嵩密度と同じにする。なお、脚部位第１層３１の嵩密度は、背部位第１層２１の嵩密度よりも小さくしてもよい。
腰臀部位第２層１２の嵩密度は、腰臀部位第１層１１の嵩密度よりも大きく、背部位第２層２２の嵩密度は、背部位第１層２１の嵩密度よりも大きく、脚部位第２層３２の嵩密度は、脚部位第１層３１の嵩密度よりも大きい。
腰臀部位第１層１１の嵩密度は、背部位第２層２２の嵩密度、及び脚部位第２層３２の嵩密度よりも大きくすることが好ましい。
腰臀部位第２層１２に対する腰臀部位第１層１１の腰臀部位嵩密度比と、背部位第２層２２に対する背部位第１層２１の背部位嵩密度比と、脚部位第２層３２に対する脚部位第１層３１の脚部位嵩密度比とは同じとする。
敷き布団としての敷き寝具の場合は、腰臀部位１０、背部位２０、及び脚部位３０を、４０ｍｍ以上８０ｍｍ以下で同じ厚さとし、腰臀部位第１層１１、背部位第１層２１、及び脚部位第１層３１を、１５ｍｍ以上で同じ厚さとするとともに、腰臀部位１０、背部位２０、及び脚部位３０に対して３７．５％以下の厚さとし、腰臀部位１０が、直径１５０ｍｍの加圧板で腰臀部位第１層１１から１０ｍｍ下降させた時の荷重が１００Ｎ以上１８０Ｎ以下であり、背部位２０が、加圧板で背部位第１層２１から１０ｍｍ下降させた時の荷重が６０Ｎ以上１４０Ｎ以下であり、脚部位３０が、加圧板で脚部位第１層３１から１０ｍｍ下降させた時の荷重が６０Ｎ以上１４０Ｎ以下であり、加圧板で１０ｍｍ下降させた時の腰臀部位１０の荷重よりも、加圧板で１０ｍｍ下降させた時の背部位２０の荷重を小さく、加圧板で１０ｍｍ下降させた時の腰臀部位１０の荷重よりも、加圧板で１０ｍｍ下降させた時の脚部位３０の荷重を小さくする。
また、ベッド用マットとしての敷き寝具の場合は、腰臀部位１０、背部位２０、及び脚部位３０を、１５０ｍｍ以上３００ｍｍ以下で同じ厚さとし、腰臀部位第１層１１、背部位第１層２１、及び脚部位第１層３１を、３０ｍｍ以上４５ｍｍ以下で同じ厚さとし、腰臀部位１０が、直径１５０ｍｍの加圧板で腰臀部位第１層１１から１０ｍｍ下降させた時の荷重が６０Ｎ以上１２０Ｎ以下であり、背部位２０が、加圧板で背部位第１層２１から１０ｍｍ下降させた時の荷重が４０Ｎ以上１００Ｎ以下であり、脚部位３０が、加圧板で脚部位第１層３１から１０ｍｍ下降させた時の荷重が４０Ｎ以上１００Ｎ以下であり、加圧板で１０ｍｍ下降させた時の腰臀部位１０の荷重よりも、加圧板で１０ｍｍ下降させた時の背部位２０の荷重を小さく、加圧板で１０ｍｍ下降させた時の腰臀部位１０の荷重よりも、加圧板で１０ｍｍ下降させた時の脚部位３０の荷重を小さくする。
【００１８】
なお、嵩密度は、単位体積当たりの溶融樹脂量であり、糸状溶融樹脂の太さや本数によって変更できる。
例えば、腰臀部位第１層１１の嵩密度を３０ｋｇ／ｍ３とした時、腰臀部位第２層１２の嵩密度を６０ｋｇ／ｍ３、背部位第１層２１の嵩密度を１２．５ｋｇ／ｍ３、背部位第２層２２の嵩密度を２５ｋｇ／ｍ３、脚部位第１層３１の嵩密度を１２．５ｋｇ／ｍ３、脚部位第２層３２の嵩密度を２５ｋｇ／ｍ３とする。
また、脚部位第１層３１の嵩密度を背部位第１層２１の嵩密度よりも小さくする場合には、例えば、腰臀部位第１層１１の嵩密度を３０ｋｇ／ｍ３とした時、腰臀部位第２層１２の嵩密度を６０ｋｇ／ｍ３、背部位第１層２１の嵩密度を１２．５ｋｇ／ｍ３、背部位第２層２２の嵩密度を２５ｋｇ／ｍ３、脚部位第１層３１の嵩密度を７．５ｋｇ／ｍ３、脚部位第２層３２の嵩密度を１５ｋｇ／ｍ３とする。
腰臀部位１０の長さＬ１及び背部位２０の長さＬ２は、敷き寝具の長さＬに対して３０％以上３４％以下とすることが好ましい。
本実施例による敷き寝具では、腰臀部位第１層１１、背部位第１層２１、及び脚部位第１層３１の内の少なくとも一つを、腰臀部位第２層１２、背部位第２層２２、及び脚部位第２層３２の内の少なくとも一つと異なる色とすることが好ましい。
【００１９】
本実施例によれば、人体の腰臀部１が位置する腰臀部位１０と、人体の背部２側に位置する背部位２０と、人体の脚部３側に位置する脚部位３０とを有することで、体圧分布と寝姿勢保持性のバランスをとりやすい。
また、本実施例によれば、腰臀部位１０は、腰臀部位第１層１１と腰臀部位第２層１２とを有し、背部位２０は、背部位第１層２１と背部位第２層２２とを有し、脚部位３０は、脚部位第１層３１と脚部位第２層３２とを有し、腰臀部位第２層１２の嵩密度は、腰臀部位第１層１１の嵩密度よりも大きく、背部位第２層２２の嵩密度は、背部位第１層２１の嵩密度よりも大きく、脚部位第２層３２の嵩密度は、脚部位第１層３１の嵩密度よりも大きいため、人体の腰臀部１、背部２、及び脚部３、それぞれについて、腰臀部位第１層１１、背部位第１層２１、及び脚部位第１層３１で体圧分布を調整して質感を持たせることができるとともに、腰臀部位第２層１２、背部位第２層２２、及び脚部位第２層３２で底つきを防止することができる。
また、本実施例によれば、腰臀部位第１層１１の嵩密度は、背部位第１層２１の嵩密度及び脚部位第１層３１の嵩密度よりも大きく、腰臀部位第２層１２の嵩密度よりも小さくしているため、人体全体の体圧分布性がよい。
また、本実施例によれば、腰臀部位嵩密度比と、背部位嵩密度比と、脚部位嵩密度比とを同じとしているため、腰臀部位第１層１１と腰臀部位第２層１２との荷重に対する分担比率と、背部位第１層２１と背部位第２層２２との荷重に対する分担比率と、脚部位第１層３１と脚部位第２層３２との荷重に対する分担比率とを等しくできることで、寝姿勢保持性のバランスがよい。
また、本実施例によれば、腰臀部位第１層１１、背部位第１層２１、及び脚部位第１層３１の内の少なくとも一つを、腰臀部位第２層１２、背部位第２層２２、及び脚部位第２層３２の内の少なくとも一つと異なる色とすることで、使用時の上面を判別しやすい。
【００２０】
図２は、本発明の他の実施例による敷き寝具であり、図２（ａ）は同実施例による敷き寝具の上面図、図２（ｂ）は同実施例による敷き寝具の側面図、図２（ｃ）は同実施例による敷き寝具の底面図である。なお、図１の実施例と同一構成には同一符号を付して説明を省略する。
本実施例による敷き寝具は、腰臀部位１０と、腰臀部位１０と連接する背部位２０と、腰臀部位１０と連接する脚部位３０と、背部位２０と連接して敷き寝具の端部を形成する端部位４０と、脚部位３０と連接して敷き寝具の端部を形成する端部位４０とからなる。
端部位４０は、使用時に上面となる端部位第１層４１と、端部位第１層４１よりも下面となる端部位第２層４２とからなる。
背部位２０と連接する端部位４０では、端部位第１層４１の嵩密度は、背部位第１層２１の嵩密度よりも大きく、端部位第１層４１の嵩密度は、端部位第２層４２の嵩密度よりも小さい。
脚部位３０と連接する端部位４０では、端部位第１層４１の嵩密度は、脚部位第１層３１の嵩密度よりも大きく、端部位第１層４１の嵩密度は、端部位第２層４２の嵩密度よりも小さい。
なお、端部位第１層４１の嵩密度は、腰臀部位第１層１１の嵩密度以上とし、端部位第２層４２の嵩密度は、腰臀部位第２層１２の嵩密度以上とすることが好ましい。
本実施例に示すように、敷き寝具は、少なくとも腰臀部位１０、背部位２０、及び脚部位３０を有していればよい。
また、本実施例のように、敷き寝具の両端に端部位４０を有することで、敷き寝具に腰掛けた場合などの沈み込みを少なくできるとともに、長期使用による敷き寝具の両端のへたりを防止することができる。
【００２１】
図３は、本実施例による敷き寝具の製造工程を示すフローチャートである。
本実施例による敷き寝具として用いる編成樹脂網状構造体は、押出工程（ステップ１）と、糸状工程（ステップ２）と、成形工程（ステップ３）と、引上工程（ステップ４）と、硬化工程（ステップ５）と、裁断工程（ステップ６）と、端面加工工程（ステップ７）とから製造される。
ステップ１における押出工程では、押出機で熱可塑性樹脂を所定温度で溶融混練して溶融樹脂とし、所定の押し出し速度で溶融樹脂を樹脂プールに押し出す。
ステップ２における糸状工程では、押出機から押し出された溶融樹脂を樹脂プールにて受け、樹脂プールの底面の多数の孔から溶融樹脂を糸状に流れ落とす。
ステップ３における成形行程では、樹脂プールの底面から流れ落ちる糸状溶融樹脂を一対の成形誘導ローラー間に導き、成形誘導ローラーにて引っ張ることで冷却水槽に導き、冷却水槽内の冷却水によって冷却して成形する。
ステップ４における引上工程では、成形した編成樹脂を回転ローラーにて引っ張り、冷却水槽から引き上げる。
ステップ５における硬化行程では、引き上げた編成樹脂を硬化させる。
ステップ６における裁断行程では、硬化した編成樹脂を所定間隔で裁断する。
ステップ７における端面加工工程では、編成樹脂網状構造体の４つの側面を加熱壁で溶融押圧して圧縮成形する。すなわち、所定温度に加熱された押付壁面に編成樹脂網状構造体の端面を押し付ける。従って、編成樹脂網状構造体の４つの側面は、溶融状態で押圧されることで端面が圧縮成形される。
以上のように、本実施例による敷き寝具は、編成樹脂網状構造体を硬化させた後に端面加工を行うことで、硬化後の糸状溶融樹脂の突出を無くして敷き寝具の寸法精度を高めることができるとともに、端面でのへたりを防止できる。
【００２２】
図４はステップ２における糸状工程で用いる樹脂プールを示す構成図である。
図４では、２層構造の編成樹脂を形成するための樹脂プールの側面構成図と底面とを示している。
樹脂プール５０は、樹脂プール５０内を、仕切板５１によって第１のプール室５２と第２のプール室５３とに区画している。また、第１のプール室５２には第１の押出機６１を配置し、第２のプール室５３には第２の押出機６２を配置している。
樹脂プール５０は、底面（孔の径盤）５４に形成した孔径を、第１のプール室５２と第２のプール室５３とで異ならせている。すなわち、第１のプール室５２に位置する孔５５は、第２のプール室５３に位置する孔５６よりも小径としている。
【００２３】
本実施例による敷き寝具は、第１のプール室５２から流れ落とす糸状溶融樹脂によって、腰臀部位第１層１１、背部位第１層２１、脚部位第１層３１、及び端部位第１層４１を形成し、第２のプール室５３から流れ落とす糸状溶融樹脂によって、腰臀部位第２層１２、背部位第２層２２、脚部位第２層３２、及び端部位第２層４２を形成することができる。
腰臀部位第１層１１、背部位第１層２１、脚部位第１層３１、及び端部位第１層４１を形成する糸状溶融樹脂と、腰臀部位第２層１２、背部位第２層２２、脚部位第２層３２、及び端部位第２層４２を形成する糸状溶融樹脂との太さは、孔５５、５６の径によって異ならせることができる。
また、孔５５の第１のプール室５２に位置する底面５４に対する密度または開口率と、孔５６の第２のプール室５３に位置する底面５４に対する密度または開口率とを異ならせることで、腰臀部位第１層１１、背部位第１層２１、脚部位第１層３１、及び端部位第１層４１と、腰臀部位第２層１２、背部位第２層２２、脚部位第２層３２、及び端部位第２層４２との嵩密度を異ならせることができる。
また、それぞれの押出機６１、６２から押し出される糸状溶融樹脂の成分を異ならせ、またはそれぞれの押出機６１、６２からの溶融樹脂の押し出し量を異ならせることで、腰臀部位第１層１１、背部位第１層２１、脚部位第１層３１、及び端部位第１層４１と、腰臀部位第２層１２、背部位第２層２２、脚部位第２層３２、及び端部位第２層４２との嵩密度を異ならせることができる。
腰臀部位第１層１１、背部位第１層２１、脚部位第１層３１、及び端部位第１層４１の嵩密度は、押出機６１、６２からの溶融樹脂の押し出し量を変化させ、または成形誘導ローラーでの引っ張り速度を変化させることで異ならせることができる。
腰臀部位第２層１２、背部位第２層２２、脚部位第２層３２、及び端部位第２層４２の嵩密度についても、押出機６１、６２からの溶融樹脂の押し出し量を変化させ、または成形誘導ローラーでの引っ張り速度を変化させることで異ならせることができる。
【００２４】
本実施例のように、第１のプール室５２と第２のプール室５３とを隣接させて溶融樹脂を糸状に流れ落とすことで、腰臀部位第１層１１と腰臀部位第２層１２とが溶融結合され、
背部位第１層２１と背部位第２層２２とが溶融結合され、脚部位第１層３１と脚部位第２層３２とが溶融結合され、端部位第１層４１と端部位第２層４２とが溶融結合される。
なお、仕切板５１の位置を変更することで、第１のプール室５２と第２のプール室５３との大きさを変更でき、腰臀部位第１層１１、背部位第１層２１、脚部位第１層３１、及び端部位第１層４１の厚さｔ１と、腰臀部位第２層１２、背部位第２層２２、脚部位第２層３２、及び端部位第２層４２の厚さｔ２とを変更することができる。
【００２５】
以下に、畳や床に敷いて用いる敷き布団として特に適した敷き寝具の実施例について説明する。
「実施例１」
実施例１は、幅Ｗが９７０ｍｍ、長さＬが１９５０ｍｍ、厚さｔが５０ｍｍの敷き寝具において、腰臀部位１０の長さＬ１を６５０ｍｍ、背部位２０の長さＬ２を６５０ｍｍ、脚部位３０の長さＬ３を６５０ｍｍとし、腰臀部位第１層１１、背部位第１層２１、及び脚部位第１層３１を、ポリエチレン樹脂による第１糸状ポリエチレン溶融樹脂で形成し、厚さｔ１を１５ｍｍとし、腰臀部位第２層１２、背部位第２層２２、及び脚部位第２層３２を、ポリエチレン樹脂による第２糸状ポリエチレン溶融樹脂で形成し、厚さｔ２を３５ｍｍとした。
第１糸状ポリエチレン溶融樹脂を落下させる孔径は、第２糸状ポリエチレン溶融樹脂を落下させる孔径より小さくすることで、第１糸状ポリエチレン溶融樹脂の太さを０．７±０．０５ｍｍ、第２糸状ポリエチレン溶融樹脂の太さを１．１±０．０５ｍｍとした。
腰臀部位第１層１１、背部位第１層２１、脚部位第１層３１、腰臀部位第２層１２、背部位第２層２２、及び脚部位第２層３２は、糸状ポリエチレン溶融樹脂の引っ張り早さを変更することで嵩密度を変更した。
第１糸状ポリエチレン溶融樹脂と第２糸状ポリエチレン溶融樹脂とを隣り合わせて落下させて成形することで、腰臀部位第１層１１と腰臀部位第２層１２との間、背部位第１層２１と背部位第２層２２との間、及び脚部位第１層３１と脚部位第２層３２との間には、第１糸状ポリエチレン溶融樹脂と第２糸状ポリエチレン溶融樹脂とが絡み合う中間層が５±１ｍｍの厚さで形成されていた。
腰臀部位第２層１２に対する腰臀部位第１層１１の腰臀部位嵩密度比、背部位第２層２２に対する背部位第１層２１の背部位嵩密度比、脚部位第２層３２に対する脚部位第１層３１の脚部位嵩密度比は、すべて１／２としている。
腰臀部位１０、背部位２０、及び脚部位３０での嵩密度は、反発力によって調整を行った。反発力は、直径１５０ｍｍの加圧板で、腰臀部位第１層１１、背部位第１層２１、又は脚部位第１層３１側から、腰臀部位１０、背部位２０、及び脚部位３０を１０ｍｍ下降させ、３０秒経過後に荷重を測定した。測定には、株式会社イマダ社製デジタルフォースゲージ（ＺＴＡ−１０００Ｎ）を用いた。
腰臀部位１０における荷重を１２０±１０Ｎとしたとき、背部位２０及び脚部位３０における荷重を８０±１０Ｎとした。
【００２６】
図５及び図６は、実施例１の腰臀部位１０について、２．５ｍｍ単位で腰臀部位第１層１１側から直径１５０ｍｍの加圧板で下降させたときの加重を測定したものであり、図５は下降位置を横軸、荷重を縦軸とし、図６は前後差を横軸、２．５ｍｍ単位での荷重差を縦軸としている。
例えば前後差（５−２．５）では、腰臀部位第１層１１表面からの下降位置が５ｍｍでの荷重（５８．６Ｎ）と下降位置が２．５ｍｍでの荷重（３０．６Ｎ）との差が２８Ｎである。
また、前後差（７．５−５）では、腰臀部位第１層１１表面からの下降位置が７．５ｍｍでの荷重（８６．６Ｎ）と下降位置が５ｍｍでの荷重（５８．６Ｎ）との差が２８Ｎである。
同様に、前後差（１０−７．５）では、腰臀部位第１層１１表面からの下降位置が１０ｍｍでの荷重（１１９．７Ｎ）と下降位置が７．５ｍｍでの荷重（８６．６Ｎ）との差が３３．１Ｎである。
図５に示すように、下降位置が２．５ｍｍから１７．５ｍｍまでは一定比率で荷重は増加し、下降位置が１７．５ｍｍから３０ｍｍまでは一定比率で荷重は増加し、下降位置が２．５ｍｍから１７．５ｍｍまでの荷重増加率（Ａ）よりも、下降位置が１７．５ｍｍから３０ｍｍまでの荷重増加率（Ｂ）が大きくなっている。
すなわち、腰臀部位第１層１１表面から第１の下降位置までの第１反発力増加領域と、第１の下降位置を超えた下降位置での第２反発力増加領域とが存在し、第１反発力増加領域では第２反発力増加領域よりも緩やかな増加率となっている。
【００２７】
「実施例２」
実施例２では、敷き寝具の厚さｔを４０ｍｍ、厚さｔ２を２５ｍｍに変更し、腰臀部位１０における荷重が１４０±１０Ｎ、背部位２０及び脚部位３０における荷重が１００±１０Ｎとなるように嵩密度を変更した以外は、実施例１と同一形状、同一条件である。
【００２８】
図７及び図８は、実施例２の腰臀部位１０について、２．５ｍｍ単位で腰臀部位第１層１１側から直径１５０ｍｍの加圧板で下降させたときの加重を測定したものであり、図７は下降位置を横軸、荷重を縦軸とし、図８は前後差を横軸、２．５ｍｍ単位での荷重差を縦軸としている。
例えば前後差（５−２．５）では、腰臀部位第１層１１表面からの下降位置が５ｍｍでの荷重（６１．７Ｎ）と下降位置が２．５ｍｍでの荷重（２８．８Ｎ）との差が３２．９Ｎである。
また、前後差（７．５−５）では、腰臀部位第１層１１表面からの下降位置が７．５ｍｍでの荷重（９６．６Ｎ）と下降位置が５ｍｍでの荷重（６１．７Ｎ）との差が３４．９Ｎである。
同様に、前後差（１０−７．５）では、腰臀部位第１層１１表面からの下降位置が１０ｍｍでの荷重（１３９．８Ｎ）と下降位置が７．５ｍｍでの荷重（９６．６Ｎ）との差が４３．２Ｎである。
図６に示すように、下降位置が２．５ｍｍから１７．５ｍｍまでは一定比率で荷重は増加し、下降位置が１７．５ｍｍから３０ｍｍまでは一定比率で荷重は増加し、下降位置が２．５ｍｍから１７．５ｍｍまでの荷重増加率（Ａ）よりも、下降位置が１７．５ｍｍから３０ｍｍまでの荷重増加率（Ｂ）が大きくなっている。
すなわち、腰臀部位第１層１１表面から第１の下降位置までの第１反発力増加領域と、第１の下降位置を超えた下降位置での第２反発力増加領域とが存在し、第１反発力増加領域では第２反発力増加領域よりも緩やかな増加率となっている。
【００２９】
「実施例３」
実施例３は、嵩密度を変更した以外は、実施例１と同一形状、同一条件である。
実施例３では、腰臀部位１０における荷重を１６０±１０Ｎとしたとき、背部位２０及び脚部位３０における荷重を１２０±１０Ｎとした。
【００３０】
「実施例４」
実施例４では、敷き寝具の厚さｔを４０ｍｍ、厚さｔ２を２５ｍｍに変更し、腰臀部位１０における荷重が１４４±１０Ｎ、背部位２０及び脚部位３０における荷重が７０±１０Ｎとなるように嵩密度を変更した以外は、実施例１と同一形状、同一条件である。
実施例４では、腰臀部位第１層１１の嵩密度は３０ｋｇ／ｍ３、腰臀部位第２層１２の嵩密度は６０ｋｇ／ｍ３、背部位第１層２１の嵩密度は１２．５ｋｇ／ｍ３、背部位第２層２２の嵩密度は２５ｋｇ／ｍ３、脚部位第１層３１の嵩密度は１２．５ｋｇ／ｍ３、脚部位第２層３２の嵩密度は２５ｋｇ／ｍ３であった。
【００３１】
「比較例１」
実施例１とは、厚さｔを４０ｍｍに変更し、腰臀部位第１層１１、背部位第１層２１、及び脚部位第１層３１の厚さｔ１を１０ｍｍとし、腰臀部位第２層１２、背部位第２層２２、及び脚部位第２層３２の厚さｔ２を３０ｍｍとした以外は、同一形状、同一条件である。
【００３２】
実施例１から実施例４では、体圧分散性が高く質感を持たせることができたが、比較例１では、十分な体圧分散性を得ることができなかった。第１糸状ポリエチレン溶融樹脂と第２糸状ポリエチレン溶融樹脂とが絡み合う中間層が５±１ｍｍの厚さで形成されることで、腰臀部位第１層１１、背部位第１層２１、及び脚部位第１層３１における第１糸状ポリエチレン溶融樹脂だけの層が薄くなったことに起因していた。
【００３３】
以上のように、敷き布団としての敷き寝具は、腰臀部位１０、背部位２０、及び脚部位３０を、４０ｍｍ以上８０ｍｍ以下で同じ厚さとし、腰臀部位第１層１１、背部位第１層２１、及び脚部位第１層３１を、１５ｍｍ以上で同じ厚さとするとともに、腰臀部位１０、背部位２０、及び脚部位３０に対して３７．５％以下の厚さとし、腰臀部位１０が、直径１５０ｍｍの加圧板で腰臀部位第１層１１から１０ｍｍ下降させた時の荷重が１１０Ｎ以上１７０Ｎ以下であり、背部位２０が、加圧板で背部位第１層２１から１０ｍｍ下降させた時の荷重が６０Ｎ以上１３０Ｎ以下であり、脚部位３０が、加圧板で脚部位第１層３１から１０ｍｍ下降させた時の荷重が６０Ｎ以上１３０Ｎ以下であり、加圧板で１０ｍｍ下降させた時の腰臀部位１０の荷重よりも、加圧板で１０ｍｍ下降させた時の背部位２０の荷重を小さく、加圧板で１０ｍｍ下降させた時の腰臀部位１０の荷重よりも、加圧板で１０ｍｍ下降させた時の脚部位３０の荷重を小さくすることが好ましい。
本実施例によれば、腰臀部位第１層１１、背部位第１層２１、及び脚部位第１層３１を、１５ｍｍ以上で、腰臀部位１０、背部位２０、及び脚部位３０に対して３７．５％以下の厚さとすることで、体圧分散性が高く質感を持たせることができるとともに、長期使用によるへたりを防止することができる。
【００３４】
以下に、ベッド用マットとして特に適した敷き寝具の実施例について説明する。
「実施例５」
実施例５は、幅Ｗが９７０ｍｍ、長さＬが１９５０ｍｍ、厚さｔが１５０ｍｍの敷き寝具において、腰臀部位１０の長さＬ１を６５０ｍｍ、背部位２０の長さＬ２を６５０ｍｍ、脚部位３０の長さＬ３を６５０ｍｍとし、腰臀部位第１層１１、背部位第１層２１、及び脚部位第１層３１を、ポリエチレン樹脂による糸状ポリエチレン溶融樹脂で形成し、厚さｔ１を４５ｍｍとし、腰臀部位第２層１２、背部位第２層２２、及び脚部位第２層３２を、ポリプロピレン樹脂による糸状ポリプロピレン溶融樹脂で形成し、厚さｔ２を１０５ｍｍとした。
糸状ポリエチレン溶融樹脂を落下させる孔径は、糸状ポリプロピレン溶融樹脂を落下させる孔径より小さくすることで、糸状ポリエチレン溶融樹脂の太さを０．６５±０．３０ｍｍ、糸状ポリプロピレン溶融樹脂の太さを１．２０±０．３０ｍｍとした。
腰臀部位第１層１１、背部位第１層２１、脚部位第１層３１、腰臀部位第２層１２、背部位第２層２２、及び脚部位第２層３２は、糸状ポリエチレン溶融樹脂の引っ張り早さを変更することで嵩密度を変更した。
糸状ポリエチレン溶融樹脂と糸状ポリプロピレン溶融樹脂とを隣り合わせて落下させて成形することで、腰臀部位第１層１１と腰臀部位第２層１２との間、背部位第１層２１と背部位第２層２２との間、及び脚部位第１層３１と脚部位第２層３２との間には、糸状ポリエチレン溶融樹脂と糸状ポリプロピレン溶融樹脂とが絡み合う中間層が５±１ｍｍの厚さで形成されていた。
腰臀部位第２層１２に対する腰臀部位第１層１１の腰臀部位嵩密度比、背部位第２層２２に対する背部位第１層２１の背部位嵩密度比、脚部位第２層３２に対する脚部位第１層３１の脚部位嵩密度比は、すべて１／２としている。
腰臀部位１０、背部位２０、及び脚部位３０での嵩密度は、反発力によって調整を行った。反発力は、直径１５０ｍｍの加圧板で、腰臀部位第１層１１、背部位第１層２１、又は脚部位第１層３１側から、腰臀部位１０、背部位２０、及び脚部位３０を１０ｍｍ下降させ、３０秒経過後に荷重を測定した。測定には、株式会社イマダ社製デジタルフォースゲージ（ＺＴＡ−１０００Ｎ）を用いた。
腰臀部位１０における荷重を９０±１０Ｎとしたとき、背部位２０及び脚部位３０における荷重を６８±１０Ｎとした。
【００３５】
「比較例２」
実施例５とは、腰臀部位第１層１１、背部位第１層２１、及び脚部位第１層３１の厚さｔ１を２５ｍｍとし、腰臀部位第２層１２、背部位第２層２２、及び脚部位第２層３２の厚さｔ２を１２５ｍｍとした以外は、同一形状、同一条件である。
腰臀部位第２層１２、背部位第２層２２、及び脚部位第２層３２がポリプロピレン樹脂による糸状ポリプロピレン溶融樹脂で形成されているため、比較例２では、堅さを感じクッション性で劣っていた。
【００３６】
以上のように、ベッド用マットとしての敷き寝具は、腰臀部位第１層１１、背部位第１層２１、及び脚部位第１層３１を、ポリエチレン樹脂による糸状ポリエチレン溶融樹脂で形成し、腰臀部位第２層１２、背部位第２層２２、及び脚部位第２層３２を、ポリプロピレン樹脂による糸状ポリプロピレン溶融樹脂で形成し、糸状ポリエチレン溶融樹脂を、糸状ポリプロピレン溶融樹脂よりも細くすることが好ましい。
また、ベッド用マットとしての敷き寝具は、腰臀部位１０、背部位２０、及び脚部位３０を、１５０ｍｍ以上３００ｍｍ以下で同じ厚さとし、腰臀部位第１層１１、背部位第１層２１、及び脚部位第１層３１を、３０ｍｍ以上４５ｍｍ以下で同じ厚さとし、腰臀部位１０が、直径１５０ｍｍの加圧板で腰臀部位第１層１１から１０ｍｍ下降させた時の荷重が８０Ｎ以上１００Ｎ以下であり、背部位２０が、加圧板で背部位第１層２１から１０ｍｍ下降させた時の荷重が５８Ｎ以上７８Ｎ以下であり、脚部位３０が、加圧板で脚部位第１層３１から１０ｍｍ下降させた時の荷重が５８Ｎ以上７８Ｎ以下であり、加圧板で１０ｍｍ下降させた時の腰臀部位１０の荷重よりも、加圧板で１０ｍｍ下降させた時の背部位２０の荷重を小さく、加圧板で１０ｍｍ下降させた時の腰臀部位１０の荷重よりも、加圧板で１０ｍｍ下降させた時の脚部位３０の荷重を小さくすることが好ましい。
本実施例によれば、糸状ポリエチレン溶融樹脂で形成した腰臀部位第１層１１、背部位第１層２１、及び脚部位第１層３１で体圧分布と寝姿勢保持性のバランスをとれ、腰臀部位第２層１２、背部位第２層２２、及び脚部位第２層３２を、糸状ポリプロピレン溶融樹脂で形成することで、高い反発力を得ることができるとともに糸状ポリエチレン溶融樹脂で形成した場合と比較して格段に軽量化を図ることができる。
また、本実施例によれば、腰臀部位第１層１１、背部位第１層２１、及び脚部位第１層３１を、３０ｍｍ以上４５ｍｍ以下の厚さとすることで、体圧分散性が高く質感を持たせることができる。
【産業上の利用可能性】
【００３７】
本発明の敷き寝具は、敷き布団やベッド用マットに適している。
【符号の説明】
【００３８】
１  腰臀部
２  背部
３  脚部
１０  腰臀部位
１１  腰臀部位第１層
１２  腰臀部位第２層
２０  背部位
２１  背部位第１層
２２  背部位第２層
３０  脚部位
３１  脚部位第１層
３２  脚部位第２層
５０  樹脂プール
【図１】
0006539912.tif 000002
【図２】
0006539912.tif 000003
【図３】
0006539912.tif 000004
【図４】
0006539912.tif 000005
【図５】
0006539912.tif 000006
【図６】
0006539912.tif 000007
【図７】
0006539912.tif 000008
【図８】
0006539912.tif 000009